(57)【要約】【課題】水槽の外壁近傍の電気部品に関して乾燥運転時の温度上昇を低減して、熱ストレスによる電気部品の故障を防ぐことができる洗濯乾燥機を提供する。【解決手段】冷却水が乾燥用給水路４３を除湿用熱交換器３３へ向かって流れる。水槽３の外壁近傍にはリードスイッチ６１が設置されている。リードスイッチ６１はアルミ製の冷却板６２に接触しており、この冷却板６２は乾燥用給水路４３に接触している。これにより、冷却水の冷熱が乾燥用給水路４３の表面を介して冷却板６２に伝わるので、リードスイッチ６１を冷却板６２で冷却することができる。【選択図】図４
2008245697.tif 000002
【特許請求の範囲】
【請求項１】
外箱と、
上記外箱内に配置された水槽と、
上記水槽内に回転自在に配置され、洗濯物を収容する回転槽と、
上記水槽内の空気を吸い込むと共に、この吸い込んだ空気を上記水槽内へ吹き込むためのファンユニットと、
上記ファンユニットの下流側に設けられ、上記水槽内へ向かう空気を加熱する加熱ユニットと、
上記ファンユニットの上流側に設けられ、上記ファンユニットへ向かう空気を除湿する除湿ユニットと、
冷却水が上記除湿ユニットへ向かって流れる冷却水用給水経路と、
上記冷却水用給水経路に接続された冷却水用給水弁と、
上記水槽の外壁近傍に設置された電気部品と、
上記電気部品に接触する金属製の冷却部材と
を備え、
上記冷却部材が上記冷却水用給水経路に接触していることを特徴とする洗濯乾燥機。
【請求項２】
請求項１に記載の洗濯乾燥機において、
上記金属製の冷却部材はアルミ製の冷却板であることを特徴とする洗濯乾燥機。
【発明の詳細な説明】
【技術分野】
【０００１】
本発明は洗濯乾燥機に関する。より詳しくは、本発明は、洗濯物を乾燥させる機能が付いたドラム式洗濯機や全自動洗濯機等の洗濯乾燥機に関する。
【背景技術】
【０００２】
従来、洗濯乾燥機としては、特開２００１−１１３０７９号公報（特許文献１）に開示されたドラム式洗濯乾燥機がある。このドラム式洗濯乾燥機は、外箱と、この外箱内に配置された水槽と、この水槽内に回転自在に配置されたドラムと、このドラム内の洗濯物を乾燥させるための乾燥システムとを備えている。
【０００３】
上記乾燥システムは、除湿器と、この除湿器が除湿した空気を吸い込むファンユニットと、このファンユニットが吹き出した空気を加熱する加熱ユニットと、この加熱ユニットが加熱した空気をドラム内へ案内するダクトとを有している。
【０００４】
上記ファンユニットは、ファンケースと、このファンケース内に回転自在に配置された送風ファンと、この送風ファンを回転駆動するファンモータと、一方の端部が送風ファンに連結されていると共に、他方の端部がファンモータに連結されたシャフトとを有している。このシャフトは送風ファンと一体に回転する。
【０００５】
上記構成のドラム式洗濯乾燥機によれば、乾燥運転時、ファンユニットの作動によって、水槽内の空気が、除湿器、ファンユニットおよび加熱ユニットを順次流れる。これにより、上記空気は、除湿器で除湿されて湿度が下がった後、加熱ユニットで加熱されて温度が上昇する。この高温低湿となった空気は、ダクトに案内されてドラム内へ吹き出し、ドラム内の洗濯物の水分を奪って多湿となった後、再び、除湿器、ファンユニットおよび加熱ユニットを順次流れる。このような空気の循環によって、洗濯物が乾燥する。
【０００６】
上述したように、洗濯物を乾燥させるために空気を循環させる場合、衣類の糸くずや綿埃が循環空気によって加熱ユニットに送られると、加熱ユニット内で糸くずや綿埃が燃え、火災に発展する可能性がある。このため、上記糸くずや綿埃を捕集するフィルタを加熱ユニットの上流側に配置するが、乾燥運転を繰り返すに伴って、糸くずや綿埃がフィルタに溜まり、洗濯物を乾燥させるために空気の送風量が低下するという問題があった。
【０００７】
この問題を解決できる洗濯乾燥機としては、特開２００３−５３０８８号公報（特許文献２）に開示されたものがある。この洗濯乾燥機では、乾燥運転時に空気が循環する循環経路において、糸くずや綿埃を捕集するフィルタが着脱可能となっている。これにより、ユーザは使用状況に応じてフィルタを循環経路から取り外して掃除することができる。
【０００８】
また、上記洗濯乾燥機は、水槽の上端近傍に設置されたフィルタ装着検出センサを備えている。このフィルタ装着検出センサは、フィルタが取り付けられているか否かを検知する。そして、上記フィルタ装着検出センサによって、フィルタが取り付けられていないことを検知すると、乾燥運転が停止するようになっている。
【０００９】
上記フィルタ装着検出センサは水槽の上端近傍に設置されている。また、上記フィルタ装着検出センサ近傍には温風吹出口が設けられている。この温風吹出口から、加熱ユニットで加熱された空気が水槽内に向かって吹き出る。
【００１０】
ところで、上記水槽の外壁温度は、乾燥運転時、加熱ユニットで加熱された空気により上昇する。このとき、上記水槽の外壁のうち温風吹出口近傍の部分は特に温度が高くなる。
【００１１】
したがって、上記温風吹出口近傍にあるフィルタ装着検出センサの温度も上昇するので、フィルタ装着検出センサに温度ストレスがかかり、フィルタ装着検出センサが故障してしまうという問題がある。
【特許文献１】特開２００１−１１３０７９号公報
【特許文献２】特開２００３−５３０８８号公報
【発明の開示】
【発明が解決しようとする課題】
【００１２】
そこで、本発明の課題は、水槽の外壁近傍の電気部品に関して乾燥運転時の温度上昇を低減して、熱ストレスによる電気部品の故障を防ぐことができる洗濯乾燥機を提供することにある。
【課題を解決するための手段】
【００１３】
上記課題を解決するため、本発明の洗濯乾燥機では、
外箱と、
上記外箱内に配置された水槽と、
上記水槽内に回転自在に配置され、洗濯物を収容する回転槽と、
上記水槽内の空気を吸い込むと共に、この吸い込んだ空気を上記水槽内へ吹き込むためのファンユニットと、
上記ファンユニットの下流側に設けられ、上記水槽内へ向かう空気を加熱する加熱ユニットと、
上記ファンユニットの上流側に設けられ、上記ファンユニットへ向かう空気を除湿する除湿ユニットと、
冷却水が上記除湿ユニットへ向かって流れる冷却水用給水経路と、
上記冷却水用給水経路に接続された冷却水用給水弁と、
上記水槽の外壁近傍に設置された電気部品と、
上記電気部品に接触する金属製の冷却部材と
を備え、
上記冷却部材が上記冷却水用給水経路に接触していることを特徴としている。
【００１４】
上記構成の洗濯乾燥機によれば、乾燥運転時、加熱ユニットおよびファンユニットが通電動作することにより、加熱ユニットで加熱された空気が洗濯物に送られる。この加熱ユニットおよびファンユニットの通電に伴い、水槽の温度が上昇する。
【００１５】
また、乾燥運転時、上記洗濯物から蒸発した水分を凝縮させて水に変え、その水を機外に排出するため、冷却水用給水経路からの冷却水が除湿ユニットに供給される。この冷却水用給水経路に金属製の冷却部材が接触しているので、冷却水の冷熱が冷却水用給水経路の表面を介して金属性の冷却部材に伝わる。また、上記金属製の冷却部材は電気部品に接触している。
【００１６】
したがって、上記電気部品を金属製の冷却部材で冷却することができるので、電気部品に対する水槽の温度上昇による悪影響を低減することができる。
【００１７】
その結果、上記電気部品を水槽の温度上昇による熱ストレスの少ない状態で使用することができるようになり、長期間使用しても電気部品の故障が発生することを防止できる。
【００１８】
一実施形態の洗濯乾燥機では、
上記金属製の冷却部材はアルミ製の冷却板である。
【００１９】
上記実施形態の洗濯乾燥機によれば、上記冷却部材はアルミ製であるので、冷却水用給水経路から電気部品へ冷熱を高効率で伝えることができる。
【００２０】
また、上記冷却部材は板形状であるから、製造が容易であり、製造工程が複雑にならない。
【００２１】
一実施形態の洗濯乾燥機では、
上記加熱ユニットで加熱された空気を上記回転槽内へ向けて吹き出す吹出口と、
上記吹出口に着脱可能に設けられたフィルタと
を備え、
上記フィルタには、上記フィルタの着脱状態を検知するためのマグネットが内蔵されている。
【００２２】
一実施形態の洗濯乾燥機では、
上記電気部品は、上記フィルタの着脱状態を検出するために上記水槽の外壁近傍に設置されたリードスイッチである。
【００２３】
一実施形態の洗濯乾燥機では、
上記冷却部材は、アルミ製であり、上記水槽と電子部品との間に挟み込まれている。
【発明の効果】
【００２４】
本発明の洗濯乾燥機によれば、冷却部材が冷却水用給水経路に接触していることによって、冷却水の冷熱が冷却水用給水経路の表面を介して金属性の冷却部材に伝わるので、水槽の外壁近傍に設置された電気部品を冷却部材で冷却することができる。
【００２５】
したがって、上記電気部品を水槽の温度上昇による熱ストレスの少ない状態で使用することができるようになり、長期間使用しても電気部品の故障が発生するのを防止できる。
【発明を実施するための最良の形態】
【００２６】
以下、本発明を図示の実施の形態により詳細に説明する。
【００２７】
図１に、本発明の一実施の形態のドラム式洗濯乾燥機を斜め上方から見た概略図を示す。
【００２８】
上記ドラム式洗濯乾燥機は、外箱開口部１１を有する外箱１を備えている。この外箱１の上部は天板９から成っている一方、外箱１の下部は底台１３から成っている。そして、上記外箱開口部１１は、外箱１にヒンジで回動自在に取り付けられたドア２で開閉されるようになっている。また、上記外箱１の上部には、洗剤、漂白剤および柔軟剤を収容する洗剤ケース１４と、操作キーや表示部を有する操作部１５とが設けられている。
【００２９】
図２に、図１のII−II線から見た概略断面図を示す。
【００３０】
上記ドラム式洗濯乾燥機は、外箱１内に配置された有底筒形状の水槽３と、この水槽３内に回転自在に配置され、洗濯物を収容する有底円筒形状のドラム４と、水槽３の後部に取り付けられ、ドラム４を回転駆動するモータ５と、洗濯物を乾燥させるための乾燥システム１００とを備えている。なお、上記ドラム４は回転槽の一例である。
【００３１】
上記水槽３は、後部が前部より下がるように中心軸Ｌ１が水平面に対して傾斜している。より詳しくは、上記水槽３は、中心軸Ｌ１が水平方向に対して５°〜３０°の角度を成すように傾斜している。この水槽３の中心軸Ｌ１は、ドラム４の回転軸に垂直な面で水槽３を切った断面における重心位置Ｐ１（図４参照）を通っている。また、上記水槽３の中心軸Ｌ１はドラム４の回転軸に対して略平行になっている。
【００３２】
また、上記水槽３内の空間の下部には、ドラム４内に供給すべき温風が流れる送風ダクト３６が配置されている。この送風ダクト３６の前側の端部は温風吹出口３７を形成し、温風吹出口３７は水槽開口部１８の下縁とドラム開口部２６の下縁との間に位置する。また、上記温風吹出口３７にはフィルタ３８が着脱可能に取り付けられている。これにより、上記温風が含む糸屑等をフィルタ３８で捕集でき、かつ、フィルタ３８のメンテナンスを容易に行うことができる。
【００３３】
また、上記水槽３の前面部には、外箱開口部１１に対向する水槽開口部１８が設けられている。この水槽開口部１８の開口縁には、ゴムや軟質樹脂等の弾性体から成るパッキン１９が固着されている。これにより、上記ドア２を閉じると、ドア２がパッキン１９に密着するから、水槽３内の液体が水槽３外へ漏れ出るのを防ぐことができる。
【００３４】
図４に、上記水槽３の概略正面図を示す。
【００３５】
上記フィルタ３８はマグネット３９を内蔵している。また、上記フィルタ３８の着脱を検知するためのリードスイッチ６１が、マグネット３９に重なるように設置されている。このリードスイッチ６１と水槽３の前面部との間には、アルミ製の冷却板６２が設置されている。なお、上記リードスイッチ６１は電気部品の一例である。また、上記冷却板６２は冷却部材の一例である。
【００３６】
上記冷却板６２にはリードスイッチ６１が接触固定されている。そして、上記冷却板６２は乾燥用給水路４３に接触固定されている。ここで、上記冷却板６２は、水槽３の前面部に接触していてもよいし、または、水槽３の前面部に対して所定の隙間を有していてもよい。また、上記リードスイッチ６１が冷却板６２に接触固定されているが、冷却板６２に固定しないように、かつ、冷却板６２に接触するようにしてもよい。なお、上記乾燥用給水路４３は冷却水用給水経路の一例である。
【００３７】
また、図２に示すように、上記水槽３の上部には、水槽３内に洗濯液を給水するための給水ダクト２０の下端部が接続されている。一方、上記給水ダクト２０の上端部は洗剤ケース１４の下部に接続されている。上記天板９の後部には給水接続口４１が設けられている。この給水接続口４１には水道の蛇口（図示せず）からの水道水が供給される。そして、上記給水接続口４１に入った水道水は、洗濯用給水弁４４の開放によって洗濯用給水路４２を流れたり、乾燥用給水弁４５の開放によって乾燥用給水路４３を流れたりする。なお、上記乾燥用給水弁４５は冷却水用給水弁の一例である。
【００３８】
上記洗濯用給水路４２は、一端が洗濯用給水弁４４に接続され、かつ、他端が洗剤ケース１４に接続されている。
【００３９】
上記乾燥用給水路４３は、一端が乾燥用給水弁４５に接続され、かつ、他端が冷却ノズル５１（図３参照）に接続されている。より詳しくは、乾燥運転時、乾燥用給水弁４５が開放されて、冷却水の一例としての水道水が、乾燥用給水路４３を流れて冷却ノズル５１に到達する。
【００４０】
また、上記水槽３の下部には、水槽３内の洗濯液を排水するための排水口１０が設けられている。また、上記排水口１０には排水ダクト２１の上端部が接続されている。一方、上記排水ダクト２１の下端部は、フィルタ装置２２を介して排水ホース２３に接続されている。
【００４１】
上記排水ダクト２１を流れる液体はフィルタ装置２２を通ってから排水ホース２３または循環ホース４７に流入できるようになっている。このフィルタ装置２２が排水ダクト２１内を流れて来た洗濯液中の糸屑等の異物を除去するので、異物が排水ホース２３および循環ホース４７に進入するのを防ぐことできる。
【００４２】
上記排水ホース２３には、排水モータ２４によって開閉される排水弁２５が設けられている。この排水弁２５は、排水ダクト２１の洗濯液を排水ホース２３へ流すときには開放し、かつ、排水ダクト２１の洗濯液を循環ホース４７へ流すときには閉鎖するように制御される。
【００４３】
上記循環ホース４７の上端部は、水槽開口部１８の近傍に設けられた循環ノズル（図示せず）に接続されている。一方、上記循環ホース４７の下端部は、フィルタ装置２２の後方に配置された循環ポンプ４６に接続されている。
【００４４】
上記循環ポンプ４６は、排水ダクト２１内の洗濯液をフィルタ装置２２を介して吸引すると共に、この吸引した洗濯液を循環ホース４７へ吐出する。このような循環ポンプ４６を作動させることによって、排水口１０から水槽３外に出た洗濯液をフィルタ装置２２を通過させた後、再び水槽３内へ戻し、ドラム４内の洗濯物に掛けることができる。また、上記循環ポンプ４６は、洗い運転時およびすすぎ運転時に作動するが、洗い運転時のみに作動するようにしてもよいし、すすぎ運転時のみに作動するようにしてもよい。
【００４５】
上記ドラム４は、その回転軸と同一の軸となる中心軸Ｌ２が水槽３の中心軸Ｌ１に対して外箱１の天板９側に偏心するように配置されている。つまり、上記ドラム４の中心軸Ｌ２は水槽３の中心軸Ｌ１よりも水槽３の上部側に位置している。言い換えれば、上記ドラム４の回転軸を含む鉛直面内において、ドラム４の下部と水槽３の下部との間の距離は、ドラム４の上部と水槽３の上部との間の距離よりも大きくなっている。要するに、上記ドラム４は、水槽３内の空間の上部側に位置するように配置されている。より詳しくは、上記ドラム４は、その回転軸が水平方向に対して５°〜３０°の角度を成すように傾斜して、後部が前部より下がっている。そして、上記ドラム４の中心軸Ｌ２は、ドラム４の回転軸に垂直な面でドラム４を切った断面における重心位置Ｐ２（図４参照）を通っている。
【００４６】
また、上記ドラム４の前面部には、外箱開口部１１および水槽開口部１８に対向するドラム開口部２６が設けられている。このドラム開口部２６は水槽開口部１８よりも大きな径を有している。
【００４７】
また、上記ドラム４の周壁全域には複数の小孔２７が設けられている。この小孔２７は、水槽３とドラム４との間の空間と、ドラム４内の空間との間で洗濯液や乾燥空気等を流通させるためのものである。なお、図２，図３では、６つの小孔２７のみ図示し、他の小孔２７の図示を省略している。
【００４８】
上記乾燥システム１００は、ファンユニットの一例としての送風機３１、加熱ユニットの一例としての加熱装置３２、除湿ユニットの一例としての除湿用熱交換器３３（図３，図４参照）、送風ダクト３６、フィルタ３８およびプレートカバー４８（図３，図４参照）を有している。この送風機３１、加熱装置３２、除湿用熱交換器３３、送風ダクト３６およびプレートカバー４８は、夫々、水槽３の中心軸Ｌ１を含み、かつ、この中心軸Ｌ１と直交する水平軸を含む面よりも下側に設けられている。
【００４９】
上記加熱装置３２は、水槽３内の空間の下部に配置されている。より詳しくは、上記加熱装置３２は、水槽３の内周面とドラム４の外周面との間に配置されて、水槽３内の洗濯液に浸かる領域に位置している。そして、上記加熱装置３２は、送風機３１の下流側に位置している。
【００５０】
また、上記加熱装置３２は、ヒータケース３４と、ヒータケース３４に大部分が収容されたシーズヒータ３５とで構成されている。
【００５１】
上記ヒータケース３４は、金属製の本体と、その本体を固定する耐熱樹脂製のフレームとで構成され、前側の端部が送風ダクト３６に連結されている。
【００５２】
図３に、図１のIII−III線から見た概略断面図を示す。
【００５３】
上記除湿用熱交換器３３は、水槽３の後面下部に取り付けられた送風機３１の上流側に位置している。より詳しくは、上記除湿用熱交換器３３は、水槽３の内周面とドラム４の外周面との間の洗濯液に浸かる領域に配置されている。
【００５４】
また、上記除湿用熱交換器３３は、金属製のプレートと、このプレートの縁部に取り付けられたステンレス製の線材とを有している。
【００５５】
上記プレートの後部（送風機３１側の端部）はプレートカバー４８で覆われている。このプレートカバー４８は、水槽３の内壁に取り付けられている。そして、上記送風機３１の作動時、プレートカバー４８は図３中の太矢印に沿って空気を案内する。
【００５６】
このような除湿用熱交換器３３に対して、乾燥運転時、乾燥用給水路４３を流れた水道水が供給される。より詳しくは、上記乾燥用給水路４３を流れた水道水は、冷却ノズル５１から上記プレートの上面（天板９側の表面）に吐出され、この上面上を流れる。これにより、上記水道水と上記プレートとで空気を冷却して、その空気が含む水分を効果的に凝縮させることができる。なお、上記凝縮した水分は、水道水と共に、排水口１０から機外に排出される。
【００５７】
上記構成のドラム式洗濯乾燥機によれば、乾燥運転時、シーズヒータ３５で加熱された空気が温風吹出口３７からドラム４内へ吹き出る。これにより、上記空気がドラム４内の洗濯物に当たり、洗濯物の水分が蒸発する。この水分を含んだ空気は、小孔２７からドラム４外に出て、プレートカバー４８内へ入り、除湿用熱交換器３３のプレートに沿って流れる。このとき、上記乾燥用給水弁４５が開放されて、水道水が乾燥用給水路４３および冷却ノズル５１を順次通過して除湿用熱交換器３３に供給される。そうすると、上記水分を含んだ空気は、上記プレートの上面上を流れる水道水によって冷却されると共に、その水道水で冷えた上記プレートによって冷却される。これにより、上記プレートに沿って流れる空気の水分が効果的に凝縮する。つまり、上記空気が十分に除湿されて低湿となる。この低湿の空気は、送風機３１内へ吸い込まれた後、送風機３１からシーズヒータ３５へ向けて吹き出され、このシーズヒータ３５で加熱されてドラム４内へ再び戻る。
【００５８】
上記水道水が流れる乾燥用給水路４３にはアルミ製の冷却板６２が接触固定されており、このアルミ製の冷却板６２にはリードスイッチ６１が接触固定されている。これにより、上記水槽３の温度は乾燥工程により上昇していくが、リードスイッチ６１と接しているアルミ製の冷却板６２は、乾燥用給水路４３の表面を介し水道水により冷却されるため、リードスイッチ６１の温度は水槽３の表面温度より低減され、リードスイッチ６１の熱ストレスを低減し、故障を防止することができる。
【００５９】
上記実施の形態では、電気部品の一例としてリードスイッチ６１を用いていたが、リードスイッチ６１以外の電気部品を用いもよい。つまり、上記水槽３の外壁近傍に設置された電気部品を、冷却板６２に接触固定してもよい。
【００６０】
上記実施の形態では、アルミ製の冷却板６２を用いたが、アルミ以外の金属から成る冷却板を用いてもよい。
【００６１】
上記実施の形態では、乾燥用給水路４３に冷却板６２を接触固定していたが、乾燥用給水路４３に、例えば、リードスイッチ６１を取り囲むように形成された箱形状の冷却部材を接触固定してもよい。この場合も、上記箱形状の冷却部材にはリードスイッチ６１が接触するようにする。
【００６２】
すなわち、本発明で用いる冷却部材は、板形状以外の形状であってもよく、電気部品や取り付け条件に応じて形状を変えてもよく、例えば継ぎ手形状にしてもよい。
【００６３】
要するに、上記冷却部材は、上記実施の形態に限定されものではなく、様々な形状を取り得る。
【００６４】
また、本発明は、外箱の前面部から外箱内に洗濯物を投入する洗濯乾燥機だけでなく、外箱の上面部から外箱内に洗濯物を投入する洗濯機乾燥機にも適用することができる。
【図面の簡単な説明】
【００６５】
【図１】図１は本発明の一実施の形態のドラム式洗濯乾燥機の概略斜視図である。
【図２】図２は図１のII−II線矢視断面図である。
【図３】図３は図１のIII−III線矢視断面図である。
【図４】図４は上記ドラム式洗濯乾燥機の水槽の概略正面図である。
【符号の説明】
【００６６】
１  外箱
２  ドア
３  水槽
４  ドラム
５  モータ
６  乾燥システム
９  天板
１０  排水口
１１  外箱開口部
１３  底台
１４  洗剤ケース
１５  操作部
１８  水槽開口部
１９  パッキン
２０  給水ダクト
２１  排水ダクト
２２  フィルタ装置
２３  排水ホース
２４  排水モータ
２６  ドラム開口部
２７  小孔
３０  排水弁
３１  送風機
３２  加熱装置
３３  除湿用熱交換器
３４  ヒータケース
３５  シーズヒータ
３６  送風ダクト
３７  温風吹出口
３８  フィルタ
３９  マグネット
４１  給水接続口
４２  洗濯用給水路
４３  乾燥用給水路
４４  洗濯用給水弁
４５  乾燥用給水弁
４６  循環ポンプ
４７  循環ホース
４８  プレートカバー
５１  冷却ノズル
６１  リードスイッチ
６２  冷却板
【図１】
2008245697.tif 000003
【図２】
2008245697.tif 000004
【図３】
2008245697.tif 000005
【図４】
2008245697.tif 000006